(57)【要約】  マルチキャリアシステム内におけるアクノリッジシグナリングのための方法が提供されている。複数の伝送キャリアに対応する複数のアクノリッジ信号を受信する。伝送キャリアは、第１の伝送方向と関連付けられている。アクノリッジ信号の中のいくつかを第１送信機ブランチに対して割り当てると共に、アクノリッジ信号の中の残りのものを第２送信機ブランチに対して割り当てる。複数のアクノリッジ信号を第２の伝送方向と関連付けられた単一の伝送キャリア上において伝送する。
2008543147.tif 000002
【特許請求の範囲】
【請求項１】
複数の伝送キャリアに対応する複数のアクノリッジ信号を受け取る段階であって、前記伝送キャリアは第１の伝送方向と関連付けられている、段階と、
前記アクノリッジ信号の中のいくつかを第１送信機ブランチに対して割り当てる段階と、
前記アクノリッジ信号の中の残りのものを第２送信機ブランチに対して割り当てる段階と、
前記複数のアクノリッジ信号を第２の伝送方向と関連付けられた単一の伝送キャリア上において伝送する段階と、
を有する方法。
【請求項２】
前記第１送信機ブランチは、Ｉブランチであり、前記第２送信機ブランチは、Ｑブランチである請求項１記載の方法。
【請求項３】
前記アクノリッジ信号は、時分割多重（ＴＤＭ）信号である請求項１記載の方法。
【請求項４】
前記アクノリッジ信号を拡散させるべく、前記Ｑブランチ及び前記Ｉブランチ用の共通ウォルシュ符号を適用する段階を更に有する請求項３記載の方法。
【請求項５】
前記アクノリッジ信号は、符号分割多重（ＣＤＭ）信号である請求項１記載の方法。
【請求項６】
前記伝送キャリアは、セルラーネットワーク内においてデータサービスをサポートしており、前記第１方向は、フォワード方向におけるものであり、前記第２方向は、リバース方向におけるものである請求項１記載の方法。
【請求項７】
複数の伝送キャリアに対応する複数のアクノリッジ信号を受け取るべく構成された回路であって、前記伝送キャリアは、第１の伝送方向と関連付けられている、回路を有しており、
前記回路は、前記アクノリッジ信号の中のいくつかを第１送信機ブランチに対して、そして、前記アクノリッジ信号の中の残りのものを第２送信機ブランチに対して割り当てるべく更に構成されており、前記複数のアクノリッジ信号は、第２の伝送方向と関連付けられた単一の伝送キャリア上において伝送される、装置。
【請求項８】
前記第１送信機ブランチは、Ｉブランチであり、前記第２送信機ブランチは、Ｑブランチである請求項７記載の装置。
【請求項９】
前記アクノリッジ信号は、時分割多重（ＴＤＭ）信号である請求項７記載の装置。
【請求項１０】
前記回路は、前記アクノリッジ信号を拡散させるべく、前記Ｑブランチ及び前記Ｉブランチ用の共通ウォルシュ符号を適用するべく更に構成されている請求項９記載の装置。
【請求項１１】
前記アクノリッジ信号は、符号分割多重（ＣＤＭ）信号である請求項７記載の装置。
【請求項１２】
前記伝送キャリアは、セルラーネットワーク内においてデータサービスをサポートしており、前記第１方向は、フォワード方向におけるものであり、前記第２方向は、リバース方向におけるものである請求項７記載の装置。
【請求項１３】
請求項９記載の前記装置を有するシステム。
【請求項１４】
ユーザー入力を受領するための手段と、
前記ユーザー入力を表示するべく構成されたディスプレイと、
を更に有する請求項７記載のシステム。
【請求項１５】
スペクトル拡散を使用して前記アクノリッジ信号を伝送するための手段を更に有する請求項７記載のシステム。
【請求項１６】
複数の伝送キャリアに対応する複数のアクノリッジ信号を端末に対して伝送する段階であって、前記伝送キャリアは、第１の伝送方向と関連付けられており、前記アクノリッジ信号の中のいくつかは、前記端末の第１送信機ブランチに対して割り当てられ、前記アクノリッジ信号の中の残りのものは、前記端末の第２送信機ブランチに対して割り当てられる、段階と、
前記複数のアクノリッジ信号を第２の伝送方向と関連付けられた単一の伝送キャリア上において受信する段階と、
を有する方法。
【請求項１７】
前記第１送信機ブランチは、Ｉブランチであり、前記第２送信機ブランチは、Ｑブランチである請求項１６記載の方法。
【請求項１８】
前記アクノリッジ信号は、時分割多重（ＴＤＭ）信号である請求項１６記載の方法。
【請求項１９】
前記端末は、前記アクノリッジ信号を拡散させるべく、前記Ｑブランチ及び前記Ｉブランチ用の共通ウォルシュ符号を適用するべく構成されている請求項１８記載の方法。
【請求項２０】
前記アクノリッジ信号は、符号分割多重（ＣＤＭ）信号である請求項１６記載の方法。
【請求項２１】
前記伝送キャリアは、セルラーネットワーク内においてデータサービスをサポートしており、前記第１方向は、フォワード方向におけるものであり、前記第２方向は、リバース方向におけるものである請求項１６記載の方法。
【請求項２２】
複数の伝送キャリアに対応する複数のアクノリッジ信号を端末に対して伝送するべく構成された第１通信インターフェイスであって、前記伝送キャリアは、第１の伝送方向と関連付けられており、前記アクノリッジ信号の中のいくつかは、前記端末の第１送信機ブランチに対して割り当てられ、前記アクノリッジ信号の中の残りのものは、前記端末の第２の送信機ブランチに対して割り当てられる、第１通信インターフェイスと、
前記複数のアクノリッジ信号を第２の伝送方向と関連付けられた単一の伝送キャリア上において受信する手段と、
を有する装置。
【請求項２３】
前記第１送信機ブランチは、Ｉブランチであり、前記第２送信機ブランチは、Ｑブランチである請求項２２記載の装置。
【請求項２４】
前記アクノリッジ信号は、時分割多重（ＴＤＭ）信号である請求項２２記載の装置。
【請求項２５】
前記端末は、前記アクノリッジ信号を拡散させるべく、前記Ｑブランチ及び前記Ｉブランチ用の共通ウォルシュ符号を適用するべく構成されている請求項２４記載の装置。
【請求項２６】
前記アクノリッジ信号は、符号分割多重（ＣＤＭ）信号である請求項２２記載の装置。
【請求項２７】
前記伝送キャリアは、セルラーネットワーク内においてデータサービスをサポートしている請求項２２記載の装置。
【請求項２８】
請求項２２記載の前記装置を有するシステム。
【発明の詳細な説明】
【技術分野】
【０００１】
本発明は、通信に関するものであり、更に詳しくは、マルチキャリアシステム内におけるシグナリングの提供に関するものである。
（関連出願）
本出願は、米国特許法第１１９条（ｅ）項に基づいて、「Ｍｅｔｈｏｄ  ａｎｄ  Ａｐｐａｒａｔｕｓ  ｆｏｒ  Ｐｒｏｖｉｄｉｎｇ  Ａｃｋｎｏｗｌｅｄｇｅｍｅｎｔ  Ｓｉｇｎａｌｉｎｇ  ｉｎ  ａ  Ｍｕｌｔｉ−ｃａｒｒｉｅｒ  Ｃｏｍｍｕｎｉｃａｔｉｏｎ  Ｓｙｓｔｅｍ」という名称の２００５年５月２６日付けで出願された米国仮特許出願第６０／６８４，６８８号の先行する出願日の利益を主張するものであり、この内容は、本引用により、そのすべてが包含される。
【背景技術】
【０００２】
セルラーシステム（例えば、（符号分割多重アクセス（Ｃｏｄｅ  Ｄｉｖｉｓｉｏｎ  Ｍｕｌｔｉｐｌｅ  Ａｃｃｅｓｓ：ＣＤＭＡ）ネットワークなどの）スペクトル拡散システム及び時分割多重アクセス（Ｔｉｍｅ  Ｄｉｖｉｓｉｏｎ  Ｍｕｌｔｉｐｌｅ  Ａｃｃｅｓｓ：ＴＤＭＡ）ネットワーク）などの無線通信は、一連の豊富なサービス及び機能に加えて、モビリティの利便性をユーザーに対して提供している。この利便性に起因し、（テキスト及びグラフィカルな情報を含む）音声及びデータ伝達の観点において、ビジネス及び個人的な使用法における一般に認められた通信形態として、益々多くの消費者によって大量に採用されるようになっている。この結果、セルラーサービスプロバイダは、自身のネットワーク及びサービスを機能強化するように継続的に要求されている。マルチキャリアシステムの開発は、ある意味においては、高度なアプリケーションをサポートするには、大きなデータレートが必要であるという認識と、更に良好なシステム性能に対する一般的なニーズと、によってもたらされたものである。
【０００３】
データの受信に成功したかどうかを通知するには、アクノリッジ（ＡＣＫ）及び／又はネガティブアクノリッジ（ＮＡＣＫ）を使用する必要がある。このメカニズムは、データの再伝送を要するかどうかを送信機に対して通知するべく、送信機及び受信機によって実行されている。又、このメカニズムは、送信機と受信機の間におけるデータ交換のフロー制御をもサポート可能であり、これにより、受信機は、自身が更なるデータを受信するための準備が完了していることを送信機に対して伝達している。単一キャリアシステムにおいては、ＡＣＫ／ＮＡＣＫシグナリングは、相対的に単純な方式で実装可能である。これとは対照的に、マルチキャリアシステムにおいては、それぞれのキャリアごとにＡＣＫ／ＮＡＣＫ信号を使用するのは、非効率であり、且つ、マルチキャリアを利用している本来の目的（使用可能な相対的に大きな帯域幅及び関連スループットという目的）が台無しになってしまう。更には、マルチキャリアシステムにおいては、キャリアの再割り当てを高速且つ適応型のものにすることが可能であるが、この結果、ＡＣＫのフィードバックが非常に複雑化することになる。同時に、単一キャリアシステム（例えば、１ｘＥＶ−ＤＯ）との下位互換性を保持することもできない。従って、ＡＣＫ／ＮＡＣＫ信号をマルチキャリアシステムに効率的に適応させるための方法に対するニーズが存在していることを認識されたい。
【発明の開示】
【０００４】
従って、マルチキャリアシステム内において更に効率的なシグナリングを提供するための方法に対するニーズが存在している。
【０００５】
これら及びその他のニーズは、マルチキャリアシステム内におけるアクノリッジシグナリングのための方法を提示する本発明によって解決される。
【０００６】
本発明の一実施例の一態様によれば、方法は、複数の伝送キャリアに対応する複数のアクノリッジ信号を受け取る段階を有している。伝送キャリアは、第１の伝送方向と関連付けられている。又、本方法は、アクノリッジ信号の中のいくつかを第１送信機ブランチに対して割り当てる段階をも有している。又、本方法は、アクノリッジ信号の中の残りのものを第２送信機ブランチに対して割り当てる段階をも有している。本方法は、複数のアクノリッジ信号を第２の伝送方向と関連付けられた単一の伝送キャリア上において伝送する段階を更に有している。
【０００７】
本発明の一実施例の別の態様によれば、装置は、複数の伝送キャリアに対応する複数のアクノリッジ信号を受け取るべく構成された回路を有している。伝送キャリアは、第１の伝送方向と関連付けられている。本回路は、アクノリッジ信号の中のいくつかを第１の送信機ブランチに対して、そして、アクノリッジ信号の中の残りのものを第２の送信機ブランチに対して割り当てるべく更に構成されている。複数のアクノリッジ信号は、第２の伝送方向と関連付けられた単一の伝送キャリア上において伝送される。
【０００８】
本発明の一実施例の別の態様によれば、方法は、複数の伝送キャリアに対応する複数のアクノリッジ信号を端末に対して伝送する段階を有している。伝送キャリアは、第１の伝送方向と関連付けられており、アクノリッジ信号の中のいくつかは、端末の第１送信機ブランチに対して割り当てられ、アクノリッジ信号の中の残りのものは、端末の第２送信機ブランチに対して割り当てられる。又、本方法は、複数のアクノリッジ信号を第２の伝送方向と関連付けられた単一の伝送キャリア上において受信する段階をも有している。
【０００９】
本発明の一実施例の更に別の態様によれば、装置は、複数の伝送キャリアに対応する複数のアクノリッジ信号を端末に対して伝送するべく構成された第１通信インターフェイスを有している。伝送キャリアは、第１の伝送方向と関連付けられており、アクノリッジ信号の中のいくつかは、端末の第１送信機ブランチに対して割り当てられ、アクノリッジ信号の中の残りのものは、端末の第２送信機ブランチに対して割り当てられる。又、本装置は、第２の伝送方向と関連付けられた単一の伝送キャリア上において複数のアクノリッジ信号を受信する手段を有している。
【００１０】
本発明の更にその他の態様、特徴、及び利点については、本発明を実施するための最良の形態を含むいくつかの特定の実施例及び実装を例示しているに過ぎない以下の詳細な説明を参照することより、容易に明らかとなろう。又、本発明においては、その他の異なる実施例も可能であり、そのいくつかの詳細事項は、本発明の精神及び範囲を逸脱することなしに、様々な明らかな側面において変更可能である。従って、図面及び説明は、その特性として、例示を意図したものであり、限定を意図したものではないと見なされたい。
【発明を実施するための最良の形態】
【００１１】
本発明は、限定としてではなく、一例として、添付の図面の各図に示されており、これらの図面においては、類似の参照符号によって類似の要素を示している。
【００１２】
アクノリッジ（ＡＣＫ／ＮＡＣＫ）信号を送信機の同相（Ｉ）及び直交（Ｑ）ブランチの両方に割り当てるための装置、方法、及びソフトウェアについて記述している。以下の記述においては、説明を目的として、本発明の十分な理解を提供するべく、多数の特定の詳細事項について述べている。しかしながら、当業者には、これらの特定の詳細事項を伴うことなしに、又は等価な構成により、本発明を実施可能であることが明らかである。その他の例においては、本発明を不必要に曖昧にすることを回避するべく、周知の構造及び装置をブロックダイアグラムの形態において示している。
【００１３】
尚、本発明については、（セルラーシステムなどの）無線通信ネットワークとの関連において説明しているが、当業者であれば、有線システムを含む任意のタイプの通信システムに対する適用可能性を本発明が具備していることを認識するであろう。
【００１４】
図１は、本発明の一実施例に従ってＡＣＫ／ＮＡＣＫシグナリングをサポートするベく構成されたアクセスネットワーク（Ａｃｃｅｓｓ  Ｎｅｔｗｏｒｋ：ＡＮ）及びアクセス端末（Ａｃｃｅｓｓ  Ｔｅｒｍｉｎａｌ：ＡＴ）を含む無線システムのアーキテクチャの図である。一例として、無線ネットワークは、ＨＲＰＤ（Ｈｉｇｈ  Ｒａｔｅ  Ｐａｃｋｅｔ  Ｄａｔａ）をサポートするための３ＧＰＰ２（Ｔｈｉｒｄ  Ｇｅｎｅｒａｔｉｏｎ  Ｐａｒｔｎｅｒｓｈｉｐ  Ｐｒｏｊｅｃｔ  ２）規格に従って稼動している。無線ネットワーク１００は、１つ又は複数のアクセス端末（ＡＴ）１０１を含んでおり、この中の１つのＡＴ１０１が、無線インターフェイス１０３上においてアクセスネットワーク（ＡＮ）１０５との通信状態にあるものとして示されている。ｃｄｍａ２０００システム内においては、ＡＴは、移動局と等価であり、アクセスネットワークは、基地局と等価である。ＡＴ１０１は、データ接続をユーザーに対して提供する装置である。例えば、ＡＴ１０１は、パーソナルコンピュータ、ＰＤＡ（Ｐｅｒｓｏｎａｌ  Ｄｉｇｉｔａｌ  Ａｓｓｉｓｔａｎｔ）、及びこれに類似したもの、或いは、データサービス対応型のセルラーハンドセットなどの演算システムに対して接続可能である。無線構成は、１Ｘ及びマルチキャリア（即ち、ｎＸ）という２つの動作モードを包含している。マルチキャリアシステムは、複数の１Ｘキャリアを利用することにより、フォワードリンク上におけるＡＴ１０１（即ち、移動局）に対するデータレートを増大させている。従って、１Ｘ技術とは異なり、マルチキャリアシステムは、複数のキャリア上において稼動している。換言すれば、ＡＴ１０１は、複数のキャリアに対して同時にアクセス可能である。
【００１５】
ＡＮ１０５は、（グローバルなインターネットなどの）パケット交換データネットワーク１１３とＡＴ１０１の間におけるデータ接続を提供しているネットワーク装置である。ＡＮ１０５は、ＰＣＦ（Ｐａｃｋｅｔ  Ｃｏｎｔｒｏｌ  Ｆｕｎｃｔｉｏｎ）１０９を介してＰＤＳＮ（Ｐａｃｋｅｔ  Ｄａｔａ  Ｓｅｒｖｉｃｅ  Ｎｏｄｅ）１１１と通信している。ＡＮ１０５又はＰＣＦ１０９のいずれかは、ＳＣ／ＭＭ（Ｓｅｓｓｉｏｎ  Ｃｏｎｔｒｏｌ  ａｎｄ  Ｍｏｂｉｌｉｔｙ  Ｍａｎａｇｅｍｅｎｔ）機能を提供しており、この機能は、その他の機能に加えて、ＨＲＰＤセッション関連情報を保存する段階、ＡＴ１０１が無線ネットワークに対してアクセスした際に端末認証手順を実行してＡＴ１０１を認証する必要があるかどうかを判定する段階、及びＡＴ１０１の場所を管理する段階を含んでいる。尚、ＰＣＦ１０９については、「３ＧＰＰ２  Ａｃｃｅｓｓ  Ｎｅｔｗｏｒｋ  Ｉｎｔｅｒｆａｃｅｓ  Ｉｎｔｅｒｏｐｅｒａｂｉｌｉｔｙ  Ｓｐｅｃｉｆｉｃａｔｉｏｎ」（２００１年７月）という名称の３ＧＰＰ２  Ａ．Ｓ０００１−Ａ  ｖ２．０に更に記述されており、この内容は、本引用により、そのすべてが本明細書に包含される。又、ＨＲＰＤの更に詳細な説明は、「ｃｄｍａ２０００  Ｈｉｇｈ  Ｒａｔｅ  Ｐａｃｋｅｔ  Ｄａｔａ  Ａｉｒ  Ｉｎｔｅｒｆａｃｅ  Ｓｐｅｃｉｆｉｃａｔｉｏｎ」という名称のＴＳＧ−Ｃ．Ｓ００２４−ＩＳ−８５６に提供されており、この内容は、本引用により、そのすべてが本明細書に包含される。
【００１６】
更には、ＡＮ１０５は、ＡＮ−ＡＡＡ（Ａｕｔｈｅｎｔｉｃａｔｉｏｎ  Ａｕｔｈｏｒｉｚａｔｉｏｎ  ａｎｄ  Ａｃｃｏｕｎｔｉｎｇ  ｅｎｔｉｔｙ）１０７とも通信しており、このＡＮ−ＡＡＡは、端末の認証及び認可機能をＡＮ１０５に対して提供している。
【００１７】
ｃｄｍａ２０００  １ｘＥＶ−ＤＶ（Ｅｖｏｌｕｔｉｏｎ  −  Ｄａｔａ  ａｎｄ  Ｖｏｉｃｅ）及び１ｘＥＶ−ＤＯ（Ｅｖｏｌｕｔｉｏｎ  −  Ｄａｔａ  Ｏｐｔｉｍｉｚｅｄ）無線インターフェイス規格は、いずれも、フォワードリンク及びリバースリンクの無線インターフェイス上においてデータパケットを搬送する際に使用されるパケットデータチャネルを規定している。無線通信システムは、様々なタイプのサービスを提供するべく設計可能である。これらのサービスは、ポイントツーポイントサービス、又は音声及びパケットデータなどの専用のサービスを包含可能であり、この場合には、データが伝送源（例えば、基地局）から特定の受信端末に対して伝送される。又、このようなサービスは、ポイントツーマルチポイント（即ち、マルチキャスト）サービス、又はブロードキャストサービスをも包含可能であり、この場合には、データは、伝送源からいくつかの受信端末に対して伝送されることになる。
【００１８】
多元アクセス無線通信システムにおいては、ユーザー間における通信は、１つ又は複数のＡＴ１０１を通じて実施されており、１つの無線局上のユーザー（アクセス端末）は、リバースリンク上において情報信号を基地局に伝達することにより、第２無線局上の第２ユーザーに対して通信している。ＡＮ１０５は、この情報信号を受信し、この情報信号をフォワードリンク上においてＡＴ局１０１に対して伝達している。次いで、ＡＮ１０５は、情報信号をフォワードリンク上において無線局１０１に対して伝達している。フォワードリンクとは、ＡＮ１０５から無線局１０１に対する伝送を意味しており、リバースリンクとは、無線局１０１からＡＮ１０５に対する伝送を意味している。ＡＮ１０５は、リバースリンク上において無線局上の第１ユーザーからデータを受信し、このデータを公衆回線電話網（Ｐｕｂｌｉｃ  Ｓｗｉｔｃｈｅｄ  Ｔｅｌｅｐｈｏｎｅ  Ｎｅｔｗｏｒｋ：ＰＳＴＮ）を通じて有線局上の第２ユーザーに対してルーティングしている。多くの通信システム、例えばＩＳ−９５、ＷＣＤＭＡ（Ｗｉｄｅｂａｎｄ  ＣＤＭＡ）、及びＩＳ−２０００、においては、フォワードリンクとリバースリンクに対して別個の周波数を割り当てている。
【００１９】
模範的な実施例によれば、本発明は、複数のキャリアのＡＣＫ／ＮＡＣＫ信号（例えば、最大６つ）を単一のリバースリンクキャリア内に収容することにより、複数のＡＣＫ／ＮＡＣＫ信号の伝送を要する際にリバースリンクのリソースを有利に節約している。又、図１のシステムは、電力を相対的に均等にＩ及びＱブランチに対して分配可能であり（即ち、Ｉ−Ｑの不均衡を極小化可能であり）、この結果、ＡＴの性能が向上することになる。Ｉ−Ｑの不均衡は、信号のピーク・トゥ・アベレージ・パワー比（Ｐｅａｋ−ｔｏ−Ａｖｅｒａｇｅ−Ｐｏｗｅｒ  Ｒａｔｉｏ：ＰＡＰＲ）を増大させ、ＡＴの電力増幅器の設計を結果的に複雑化させることになる。
【００２０】
１ｘＥＶ−ＤＯシステム内においては、ＡＴ１０１は、ＡＣＫ／ＮＡＣＫ信号をリバース・アクノリッジ・チャンネル（Ｒｅｖｅｒｓｅ  Ａｃｋｎｏｗｌｅｄｇｅｍｅｎｔ  Ｃｈａｎｎｅｌ：Ｒ−ＡＣＫＣＨ）上においてＡＮ１０５に対して伝送することにより、フォワードリンクパケットの受信に成功したかどうかを通知している。例えば、ＮｘＤＯシステム内において、複数のキャリアを使用している際には、ＡＴ１０１は、複数のＡＣＫ／ＮＡＣＫ信号をフィードバックすることにより、すべてのキャリア上におけるパケット受信の成否を通知する必要がある。
【００２１】
ＡＴ１０１が、異なるキャリアのＡＣＫ／ＮＡＣＫをどのように報告するのかについては、いくつかの方法が提案されている。例えば、１つの方法は、それぞれの単一のキャリアのＡＣＫ／ＮＡＣＫの伝送持続時間を半分に（例えば、１／４スロットに）低減することにより、２つのキャリアのＡＣＫ／ＮＡＣＫを時分割多重化（ＴＤＭ）する段階を含んでいる。この方法の１つの欠点は、それぞれのリバースリンクキャリアが２つのフォワードリンクキャリアのＡＣＫ／ＮＡＣＫ信号しか収容することができないという点にある。２つを上回る数のフォワードリンクキャリアを使用してデータをＡＴ１０１に伝送する場合には、リバースリンク上のトラフィック負荷とは無関係に、リバースリンクキャリアの数を相応して増大させる必要がある。これは、結果的に、リバースリンクリソースの浪費と、従って、例えば、ＡＴ１０１の相対的に短い電池寿命と、をもたらすことになる。
【００２２】
図２は、本発明の一実施例に従って単一のリバースリンクにおいて複数のアクノリッジを提供するためのプロセスのフローチャートである。段階２０１において、複数のフォワード伝送キャリアに対応する複数のＡＣＫ／ＮＡＣＫ信号を検出及び受領している。次いで、段階２０３において、これらのＡＣＫ／ＮＡＣＫ信号を異なる伝送ブランチに対して割り当てている。模範的な実施例によれば、複数のＡＣＫ／ＮＡＣＫ信号の伝送を要する際には、これらの信号を送信機の同一のＩブランチ上において伝送する代わりに、ＡＴが、ＡＣＫ／ＮＡＣＫ信号を送信機のＩ及びＱブランチの両方に対して割り当てている。例えば、３つのフォワードキャリアｆ１、ｆ２、及びｆ３が存在している場合には、ＡＴは、ｆ１及びｆ２のＡＣＫ／ＮＡＣＫ信号をＩブランチに対して、そして、ｆ３のＡＣＫ／ＮＡＣＫ信号をＱブランチに対して割り当て可能である。この後に、段階２０５において、ＡＣＫ／ＮＡＣＫ信号を単一のリバースリンク上において伝送している。
【００２３】
図３及び図４は、それぞれ、ＴＤＭ（時分割多重）及びＣＤＭ（符号分割多重）システム用のＡＣＫ／ＮＡＣＫシグナリングを本発明の様々な実施例に従って示している。ＴＤＭを使用することにより、２つのＡＣＫ／ＮＡＣＫ信号をＲ−ＡＣＫＣＨ（Ｒｅｖｅｒｓｅ  Ａｃｋｎｏｗｌｅｄｇｅｍｅｎｔ  Ｃｈａｎｎｅｌ）上において１つに多重化している（即ち、ＴＤＭ化している）図３に示されているＴＤＭ−ＡＣＫによれば、フォワードリンク上の２つを上回る数のキャリアをＡＴ１０１によってサポートする必要がある場合には、ＡＣＫ／ＮＡＣＫ信号の中の２つのものをＩブランチのＲ−ＡＣＫＣＨ上において搬送可能であり、且つ、ＡＣＫ／ＮＡＣＫ信号の中の残りのものをＱブランチのＲ−ＡＣＫＣＨ上において搬送可能である。図３は、２つを上回る数のＡＣＫ／ＮＡＣＫ信号をリバースリンク上において伝送する必要がある際のこのようなチャネル構造３００の一例を示している。図３に示されているように、Ｉブランチに対する入力３０１は、オグジリアリ・パイロット（Ａｕｘｉｌｉａｒｙ  Ｐｉｌｏｔ）相対利得、ＰＲＩ相対利得、ＡＣＫ相対利得、ＤＳＣ相対利得、及びデータ相対利得を含んでいる。ＡＣＫ相対利得及びＤＳＣ相対利得は、マルチプレクサ３０３を介して多重化されている。入力３０１は、加算器３０５において加算され、直交拡散ロジック３０７に対して供給されている。又、Ｉブランチは、ベースバンドフィルタ３０９をも含んでおり、このフィルタは、フィルタリング済みの信号を直交信号と混合するミキサ３１１に対して出力している。
【００２４】
Ｑブランチの場合には、入力３１３は、ＤＲＣ相対利得、データ相対利得、及びＡＣＫ相対利得を含んでいる。この例においては、（チャネルＱと関連付けられた）ＡＣＫ相対利得が、Ｑブランチ上におけるＡＣＫ／ＮＡＣＫシグナリングをサポートしている。入力３１３は、加算器３１５に供給されており、この結果得られた信号は、直交拡散ロジック３０７に対して供給されている。Ｉブランチと同様に、Ｑブランチも、ベースバンドフィルタ３１７を含んでいる。フィルタ３１７は、フィルタリング済みの信号を直交信号（即ち、これは、Ｉブランチミキサ３１１のものに対して直交している）と混合するミキサ３１１に対して出力している。出力信号は、加算器３２１によって形成されている。
【００２５】
本発明の一実施例によれば、それぞれのキャリアのＡＣＫ／ＮＡＣＫ信号の伝送持続時間が１／４スロットであると仮定した場合に、最大で合計６つの（例えば、フォワードリンク上における合計６つのキャリアの）ＡＣＫ／ＮＡＣＫ信号を単一のリバースキャリア上において送信可能である。この能力は、実際的なシステム内におけるマルチキャリアの使用シナリオの大部分に対応可能である。模範的な実施例においては、Ｑブランチ上のＲ−ＡＣＫＣＨは、拡散のために、例えば、次のようなＩブランチと同一のウォルシュ（Ｗａｌｓｈ）符号を使用可能である。
【００２６】
【数１】
2008543147.tif 000003
【００２７】
Ｗａｌｓｈ符号は、ＣＤＭＡシステムにおいて一般的に使用されている直交符号の１つである。直交符号の組は、次のような特性を具備する符号である。
【００２８】
【数２】
2008543147.tif 000004
【００２９】
ここで、φi（ｋＴ）及びφj（ｋＴ）は、直交の組のｉ番目及びｊ番目の直交メンバであり、Ｍは、組のサイズであり、Ｔは、シンボル持続時間である。直交符号の組は、組内の任意の２つの符号ペア間において、τ＝０である際に、０の相互相関値を具備する符号である。
【００３０】
行列Ｈnのそれぞれの行は、長さｎの符号を形成している。一例として、長さ４のＷａｌｓｈ符号の組の構造を次に示している。
【００３１】
【数３】
2008543147.tif 000005
【００３２】
従って、長さ４の４つのＷａｌｓｈ符号は、｛０，０，０，０｝、｛０，１，０，１｝、｛０，０，１，１｝、及び｛０，１，１，０｝である。
【００３３】
Ｗａｌｓｈカバー及びＰＮシーケンスを直交拡散ロジック（３０７）に対して提供している回路は、ＩチャネルショートＰＮシーケンスをＩチャネルユーザーロングＰＮシーケンスと混合するミキサ（又は、マルチプレクサ）３２３を含んでいる。又、回路は、Ｑチャネル用のミキサをも含んでおり、これにより、ＱチャネルショートＰＮシーケンスがＱチャネルユーザーロングＰＮシーケンスと混合され、この結果得られた信号がデシメータロジック３２７に供給されており、この出力は、ミキサ３２９を使用することにより、Ｗａｌｓｈカバーと混合されている。Ｗａｌｓｈカバー及びＰＮシーケンスは、±１値によって表されており、２進の「０」については、＋１を、そして、２進の「１」については、−１をマッピングしている。
【００３４】
図４のチャネル構造４００におけるように、複数のＡＣＫ／ＮＡＣＫ信号のＣＤＭ（符号分割多重）を使用している（即ち、ＣＤＭ化されている）ケースにおいては、ＡＣＫ／ＮＡＣＫ信号を送信機のＩ及びＱブランチに対して割り当てている。入力及びコンポーネント４０１〜４２９は、図３のチャネル構造のもの（例えば、３０１〜３２９）に準拠している。それぞれのブランチ上に、２つを上回る数のＡＣＫ／ＮＡＣＫ信号が存在する場合には、図５との関連において後述するＣＤＭ方式において、それらを搬送している。図３の構造とは異なり、模範的な実施例においては、ＣＤＭを使用しているため、それぞれのキャリアのＡＣＫ／ＮＡＣＫの伝送持続時間は、１ｘＥＶ−ＤＯと同一（即ち、１／２スロット）に留まっている。Ｑブランチ内においては、Ｒ−ＡＣＫＣＨと多重化されたＤＳＣ（Ｄａｔａ  Ｓｏｕｒｃｅ  Ｃｏｎｔｒｏｌ）チャネル時間が存在していないため、最初の１／２スロットを伝送した後に、残りの１／２スロットは、ＤＴＸ化されるか（伝送されないか）、又は更なるキャリアをサポートするためのＡＣＫ／ＮＡＣＫ信号の伝送に使用可能である。又、図４のＮ及びＭが１に等しい場合には、２つのＡＣＫ／ＮＡＣＫ信号がＴＤＭでもＣＤＭでもなく、異なるＩ及びＱブランチ上において分離された状態で搬送されるという特殊なケースが発生する。
【００３５】
図５は、Ｉブランチのみを使用しているＣＤＭ（符号分割多重）ＡＣＫのチャネル構造の図である。図５のチャネル構造は、オリジナルのＡＣＫ／ＮＡＣＫ伝送持続時間（例えば、１／２スロット）を維持しつつ、１つのＷａｌｓｈ符号をそれぞれのＡＣＫ／ＮＡＣＫ信号に割り当てることにより、複数のキャリアから生成されたＡＣＫ／ＮＡＣＫを符号分割多重化（ＣＤＭ）する段階を含んでいる。図示のように、ＡＣＫ信号マッピングロジック５０１ａ、５０１ｂ、５０１ｎは、それぞれの反復ロジック５０３ａ、５０３ｂ、５０３ｎに対して出力しており、これらの反復ロジックが、シンボルを反復し（例えば、２ｘ）、それらをミキサ５０５ａ、５０５ｂ、及び５０５ｎに対して供給している。混合された信号（対応するＷａｌｓｈカバーと混合されたもの）を加算器５０７によって加算しており、この結果得られた信号を次のような別のカバーと混合している。
【００３６】
【数４】
2008543147.tif 000006
【００３７】
この方法は、Ｉブランチ内においてのみ搬送されるＲ−ＡＣＫＣＨを提供している。フォワードリンクキャリアの数が増大した際には、Ｉブランチ上における複数のＡＣＫ／ＮＡＣＫの合計伝送パワーによってＩ−Ｑブランチパワーの不均衡が発生する可能性があり、図３及び図４のチャネル構造の場合には、この不均衡は発生しない。
【００３８】
当業者であれば、アクノリッジシグナリングを提供するプロセスは、ソフトウェア、ハードウェア（例えば、汎用プロセッサ、ＤＳＰ（Ｄｉｇｉｔａｌ  Ｓｉｇｎａｌ  Ｐｒｏｃｅｓｓｉｎｇ）チップ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  ｐｒｏｇｒａｍｍａｂｌｅ  Ｇａｔｅ  Ａｒｒａｙ）など）、ファームウェア、又はこれらの組み合わせによって実装可能であることを認識するであろう。記述されている機能を実行するこのような模範的なハードウェアについて、以下、図６との関連において説明する。
【００３９】
図６は、本発明の様々な実施例を実装可能である模範的なハードウェアを示している。演算システム６００は、バス６０１又は情報を伝達するためのその他の通信メカニズムと、情報を処理するべくバス６０１に結合されたプロセッサ６０３と、を含んでいる。又、演算システム６００は、情報及びプロセッサ６０３によって実行される命令を保存するべくバス６０１に接続されたランダムアクセスメモリ（Ｒａｎｄｏｍ  Ａｃｃｅｓｓ  Ｍｅｍｏｒｙ：ＲＡＭ）又はその他の動的なストレージ装置などのメインメモリ６０５をも含んでいる。メインメモリ６０５は、プロセッサ６０３によって命令が実行された際に一時的な変数やその他の中間情報を保存するべく使用することも可能である。又、演算システム６００は、プロセッサ６０３用の静的な情報及び命令を保存するべくバス６０１に結合された読み出し専用メモリ（Ｒｅａｄ  Ｏｎｌｙ  Ｍｅｍｏｒｙ：ＲＯＭ）６０７又はその他の静的なストレージ装置を包含することも可能である。情報及び命令を永続的に保存するべく、磁気ディスク又は光ディスクなどのストレージ（記録）装置６０９がバス６０１に結合されている。
【００４０】
情報をユーザーに対して表示するべく、演算システム６００をバス６０１を介して液晶ディスプレイ又はアクティブマトリックスディスプレイなどのディスプレイ６１１に結合可能である。情報と命令の選択をプロセッサ６０３に対して伝達するべく、英数及びその他のキーを含むキーボードなどの入力装置６１３をバス６０１に結合可能である。入力装置６１３は、方向情報及び命令の選択をプロセッサ６０３に対して伝達すると共に、ディスプレイ６１１上においてカーソルの動きを制御するべく、マウス、トラックボール、又はカーソル方向キーなどのカーソル制御を包含可能である。
【００４１】
本発明の様々な実施例によれば、演算システム６００は、メインメモリ６０５内に収容されている命令の構成をプロセッサ６０３が実行するのに応答し、本明細書に記述されているプロセスを提供可能である。このような命令は、ストレージ装置６０９などの別のコンピュータ可読媒体からメインメモリ６０５内に読み込み可能である。メインメモリ６０５内に収容された命令の構成を実行することにより、プロセッサ６０３は、本明細書に記述されているプロセスを実行している。又、マルチ処理構成を有する１つ又は複数のプロセッサを利用することにより、メインメモリ６０５内に収容された命令を実行することも可能である。代替実施例においては、ソフトウェア命令の代わりに（又は、これらとの組み合わせにおいて）、配線接続された回路を使用することにより、本発明の実施例を実装可能である。別の例においては、ＦＰＧＡ（Ｆｉｅｌｄ  Ｐｒｏｇｒａｍｍａｂｌｅ  Ｇａｔｅ  Ａｒｒａｙ）などの再構成可能なハードウェアを使用可能であり、この場合には、通常、メモリルックアップテーブルをプログラミングすることにより、そのロジックゲートの機能及び接続トポロジーを実行時にカスタマイズ可能である。従って、本発明の実施例は、ハードウェア回路及びソフトウェアの特定の組み合わせに限定されるものではない。
【００４２】
又、演算システム６００は、バス６０１に結合された少なくとも１つの通信インターフェイス６１５をも含んでいる。通信インターフェイス６１５は、ネットワークリンク（図示されてはいない）に結合した双方向データ通信を提供している。通信インターフェイス６１５は、様々なタイプの情報を表すデジタルデータストリームを搬送する電気的、電磁気的、又は光学的な信号を送受信している。更には、通信インターフェイス６１５は、ＵＳＢ（Ｕｎｉｖｅｒｓａｌ  Ｓｅｒｉａｌ  Ｂｕｓ）インターフェイスやＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）インターフェイスなどの周辺インターフェイス装置を包含することも可能である。
【００４３】
プロセッサ６０３は、伝送されたコードを受信しつつ実行可能であると共に／又は、後から実行するべく、ストレージ装置６０９又はその他の不揮発性のストレージ内にコードを保存可能である。このようにして、演算システム６００は、搬送波の形態においてアプリケーションコードを入手可能である。
【００４４】
尚、本明細書において使用されている「コンピュータ可読媒体」という用語は、実行のためのプロセッサ６０３に対する命令の提供に参加する任意の媒体を意味している。このような媒体は、不揮発性媒体、揮発性媒体、及び伝送媒体を含む（但し、これらに限定されない）多数の形態を有することが可能である。不揮発性媒体は、例えば、ストレージ装置６０９などの光学又は磁気ディスクを含んでいる。揮発性媒体は、メインメモリ６０５などの動的なメモリを含んでいる。伝送媒体は、バス６０１を構成しているワイヤを含む同軸ケーブル、銅線、及び光ファイバを含んでいる。又、伝送媒体は、高周波（ＲＦ）又は赤外線（ＩＲ）データ通信の際に生成されるものなどの音響的、光学的、又は電磁的な波の形態を有することも可能である。コンピュータ可読媒体の一般的な形態は、例えば、フロッピー（登録商標）ディスク、フレキシブルディスク、ハードディスク、磁気テープ、任意のその他の磁気媒体、ＣＤ−ＲＯＭ、ＣＤＲＷ、ＤＶＤ、任意のその他の光学媒体、パンチカード、紙テープ、光学マークシート、孔又はその他の光学的に認識可能な標識のパターンを有する任意のその他の物理的媒体、ＲＡＭ、ＰＲＯＭ、及びＥＰＲＯＭ、ＦＬＡＳＨ−ＥＰＲＯＭ、任意のその他のメモリチップ又はカートリッジ、搬送波、又はコンピュータが判読可能な任意のその他の媒体を含んでいる。
【００４５】
実行のためのプロセッサに対する命令の提供には、様々な形態のコンピュータ可読媒体が関与可能である。例えば、本発明の少なくとも一部を実行するための命令は、当初、リモートコンピュータの磁気ディスク上に存在可能である。このようなシナリオにおいては、リモートコンピュータは、これらの命令をメインメモリ内に読み込み、これらの命令をモデムを使用して電話線上において送信する。ローカルシステムのモデムは、電話線上において、このデータを受信し、赤外線トランスミッタを使用してデータを赤外線信号に変換し、この赤外線信号をＰＤＡ（Ｐｅｒｓｏｎａｌ  Ｄｉｇｉｔａｌ  Ａｓｓｉｓｔａｎｔ）やラップトップなどの携帯型演算装置に対して伝送する。携帯型演算装置上の赤外線検出器は、この赤外線信号によって保持されている情報及び命令を受信し、このデータをバス上に配置する。バスは、このデータをメインメモリに対して伝達し、プロセッサは、これから命令を取得して実行する。メインメモリによって受信された命令は、任意選択により、プロセッサによる実行の前又は後において、ストレージ装置上に保存可能である。
【００４６】
図７Ａ及び図７Ｂは、本発明の様々な実施例をサポートする能力を有する異なるセルラー携帯電話システムの図である。図７Ａ及び図７Ｂは、それぞれ、移動局（例えば、ハンドセット）及び基地局の両方を有する模範的な携帯電話システムを示しており、これらは、（ＤＳＰ（Ｄｉｇｉｔａｌ  Ｓｉｇｎａｌ  Ｐｒｏｃｅｓｓｏｒ）の一部として）設置されたトランシーバ、ハードウェア、ソフトウェア、集積回路、及び／又は半導体装置を基地局及び移動局内に具備している。一例として、無線ネットワークは、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ  ２０００）のためにＩＴＵ（Ｉｎｔｅｒｎａｔｉｏｎａｌ  Ｔｅｌｅｃｏｍｍｕｎｉｃａｔｉｏｎ  Ｕｎｉｏｎ）によって定義された第２世代及び第３世代（２Ｇ及び３Ｇ）サービスをサポートしている。説明を目的として、無線ネットワークのキャリア及びチャネル選択能力については、ｃｄｍａ２０００アーキテクチャとの関連において説明する。ｃｄｍａ２０００は、３ＧＰＰ２（Ｔｈｉｒｄ  Ｇｅｎｅｒａｔｉｏｎ  Ｐａｒｎｅｒｓｈｉｐ  Ｐｒｏｊｅｃｔ  ２）において、ＩＳ９５の第３世代バージョンとして、標準化作業が進行中である。
【００４７】
無線ネットワーク７００は、ＢＳＳ（Ｂａｓｅ  Ｓｔａｔｉｏｎ  Ｓｕｂｓｙｓｔｅｍ）７０３と通信状態にある移動局７０１を含んでいる（これは、例えば、ハンドセット、端末、無線局、ユニット、装置、又は（「携帯可能」な回路などの）任意のタイプのユーザーに対するインターフェイスである）。本発明の一実施例によれば、無線ネットワークは、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ  ２０００）のためにＩＴＵ（Ｉｎｔｅｒｎａｔｉｏｎａｌ  Ｔｅｌｅｃｏｍｍｕｎｉｃａｔｉｏｎｓ  Ｕｎｉｏｎ）によって定義された３Ｇ（Ｔｈｉｒｄ  Ｇｅｎｅｒａｔｉｏｎ）サービスをサポートしている。
【００４８】
この例においては、ＢＳＳ７０３は、ＢＴＳ（Ｂａｓｅ  Ｔｒａｎｓｃｅｉｖｅｒ  Ｓｔａｔｉｏｎ）７０５とＢＳＣ（Ｂａｓｅ  Ｓｔａｔｉｏｎ  Ｃｏｎｔｒｏｌｌｅｒ）７０７を含んでいる。尚、単一のＢＴＳが示されているが、通常、例えば、ポイントツーポイントリンクを通じて、複数のＢＴＳがＢＳＣに対して接続されていることを認識されたい。それぞれのＢＳＳ７０３は、伝送制御エンティティ、即ち、ＰＣＦ（Ｐａｃｋｅｔ  Ｃｏｎｔｒｏｌ  Ｆｕｎｃｔｉｏｎ）７１１を通じてＰＤＳＮ（Ｐａｃｋｅｔ  Ｄａｔａ  Ｓｅｒｖｉｎｇ  Ｎｏｄｅ）７０９に対してリンクされている。ＰＤＳＮ７０９は、外部ネットワーク（例えば、インターネット７１３又はその他のプライベートな消費者ネットワーク７１５）に対するゲートウェイとしてサービスしているため、ユーザーのＩＤ及び権限を安全に識別すると共に、それぞれのユーザーの活動を追跡するべく、ＡＡＡ（Ａｃｃｅｓｓ，  Ａｕｔｏｒｉｚａｔｉｏｎ  ａｎｄ  Ａｃｃｏｕｎｔｉｎｇ  ｓｙｓｔｅｍ）７１７を包含可能である。ネットワーク７１５は、Ｈｏｍｅ  ＡＡＡ７３７によって保護されたＨＡ（Ｈｏｍｅ  Ａｇｅｎｔ）７３５を通じてアクセスされる１つ又は複数のデータベース７３３にリンクされたＮＭＳ（Ｎｅｔｗｏｒｋ  Ｍａｎａｇｅｍｅｎｔ  Ｓｙｓｔｅｍ）７３１を有している。
【００４９】
尚、単一のＢＳＳ７０３が示されているが、通常、複数のＢＳＳ７０３がＭＳＣ（Ｍｏｂｉｌｅ  Ｓｗｉｔｃｈｉｎｇ  Ｃｅｎｔｅｒ）７１９に対して接続されていることを認識されたい。ＭＳＣ７１９は、ＰＳＴＮ（Ｐｕｂｌｉｃ  Ｓｗｉｔｃｈｅｄ  Ｔｅｌｅｐｈｏｎｅ  Ｎｅｔｗｏｒｋ）７２１などの回線交換電話網に対する接続を提供している。同様に、ＭＳＣ７１９は、同一ネットワーク７００上においてその他のＭＳＣ７１９に対して、又はその他の無線ネットワークに対して接続することも可能であることを認識されたい。ＭＳＣ７１９は、一般に、そのＭＳＣ７１９に対するアクティブな加入者に関する一時的な情報を保持しているＶＬＲ（Ｖｉｓｉｔｏｒ  Ｌｏｃａｔｉｏｎ  Ｒｅｇｉｓｔｅｒ）７２３と共に存在している。ＶＬＲ７２３のデータベース内のデータは、そのほとんどが、ＨＬＲ（Ｈｏｍｅ  Ｌｏｃａｔｉｏｎ  Ｒｅｇｉｓｔｅｒ）７２５のデータベースの複写であり、このＨＬＲは、詳細な加入者サービスの加入情報を保存している。いくつかの実装においては、ＨＬＲ７２５及びＶＬＲ７２３は、同一の物理的なデータベースであるが、例えば、ＳＳ７（Ｓｉｇｎａｌｉｎｇ  Ｓｙｓｔｅｍ  Ｎｕｍｂｅｒ  ７）ネットワークを通じてアクセスする離れた場所にＨＬＲ７２５を配置することも可能である。ユーザーを認証するべく、秘密認証キーなどの加入者固有の認証データを収容しているＡｕＣ（Ａｕｔｈｅｎｔｉｃａｔｉｏｎ  Ｃｅｎｔｅｒ）７２７がＨＬＲ７２５と関連付けられている。更には、ＭＳＣ７１９は、ショートメッセージを保存すると共に、これらを無線ネットワーク７００との間において転送するＳＭＳＣ（Ｓｈｏｒｔ  Ｍｅｓｓａｇｅ  Ｓｅｒｖｉｃｅ  Ｃｅｎｔｅｒ）７２９に対しても接続されている。
【００５０】
セルラー電話システムの通常動作の際には、ＢＴＳ７０５は、電話通話又はその他の通信を実施しているモバイルユニット７０１の組からリバースリンク信号の組を受信し、これらを復調している。所与のＢＴＳ７０５によって受信されたそれぞれのリバースリンク信号は、その無線局内において処理される。この結果得られたデータは、ＢＳＣ７０７に転送される。ＢＳＣ７０７は、ＢＴＳ７０５間におけるソフトハンドオフの調整を含む通話リソースの割り当て及びモビリティの管理機能を提供している。又、ＢＳＣ７０７は、受信したデータをＭＳＣ７１９に対してルーティングしており、ＭＳＣは、ＰＳＴＮ７２１とのインターフェイス用の更なるルーティング及び／又はスイッチングを提供している。又、ＭＳＣ７１９は、通話のセットアップ、通話の終了、ＭＳＣ間におけるハンドオーバー及び更なるサービスの管理、並びに、集金、課金、及び会計情報の責任をも担っている。同様に、無線ネットワーク７００は、フォワードリンクのメッセージをも送信している。ＰＳＴＮ７２１がＭＳＣ７１９とインターフェイスしている。ＭＳＣ７１９は、ＢＳＣ７０７と更にインターフェイスしており、ＢＳＣが、ＢＴＳ７０５とインターフェイスしており、ＢＴＳが、フォワードリンク信号の組を変調してモバイルユニット７０１の組に対して伝送している。
【００５１】
図７Ｂに示されているように、ＧＰＲＳ（Ｇｅｎｅｒａｌ  Ｐａｃｋｅｔ  Ｒａｄｉｏ  Ｓｅｒｖｉｃｅ）インフラストラクチャ７５０の２つの主要な要素は、ＳＧＳＮ（Ｓｅｒｖｉｎｇ  ＧＰＲＳ  Ｓｕｐｐｏｒｔｉｎｇ  Ｎｏｄｅ）７３２及びＧＧＳＮ（Ｇａｔｅｗａｙ  ＧＰＲＳ  Ｓｕｐｐｏｒｔ  Ｎｏｄｅ）７３４である。更には、ＧＰＲＳインフラストラクチャは、ＰＣＵ（Ｐａｃｋｅｔ  Ｃｏｎｔｒｏｌ  Ｕｎｉｔ）１３３６と、課金システム７３９に対してリンクされたＣＧＦ（Ｃｈａｒｇｉｎｇ  Ｇａｔｅｗａｙ  Ｆｕｎｃｔｉｏｎ）７３８をも含んでいる。ＧＰＲＳのＭＳ（Ｍｏｂｉｌｅ  Ｓｔａｔｉｏｎ）７４１は、ＳＩＭ（Ｓｕｂｓｃｒｉｂｅｒ  Ｉｄｅｎｔｉｔｙ  Ｍｏｄｌｅ）７４３を利用している。
【００５２】
ＰＣＵ７３６は、無線インターフェイスのアクセス制御、無線インターフェイス上におけるパケットのスケジューリング、並びに、パケットのアセンブル及び再アセンブルなどのＧＰＲＳ関連の機能の責任を担う論理的なネットワーク要素である。一般的に、ＰＣＵ７３６は、ＢＳＣ７４５と物理的に統合されているが、ＢＴＳ７４７又はＳＧＳＮ７３２と共に存在することも可能である。ＳＧＳＮ７３２は、モビリティ管理、セキュリティ、及びアクセス制御機能を含むＭＳＣ７４９と等価な機能を、但し、パケット交換ドメインにおいて提供している。更には、ＳＧＳＮ７３２は、例えば、ＢＳＳＧＰ（ＢＳＳ  ＧＰＲＳ  Ｐｒｏｔｏｃｏｌ）を使用するフレームリレーに基づいたインターフェイスを通じたＰＣＵ７３６との接続を具備している。尚、１つのＳＧＳＮしか示されてはいないが、複数のＳＧＳＮ７３１を利用可能であり、且つ、サービスエリアを対応する複数のＲＳ（Ｒｏｕｔｉｎｇ  Ａｒｅａ）に分割可能であることを認識されたい。ＳＧＳＮ／ＳＧＳＮインターフェイスにより、継続中のＰＤＰ（Ｐｅｒｓｏｎａｌ  Ｄｅｖｅｌｏｐｍｅｎｔ  Ｐｌａｎｎｉｎｇ）コンテキストにおいてＲＡ更新が発生した際に、古いＳＧＳＮから新しいＳＧＳＮへのパケットのトンネリングが可能である。所与のＳＧＳＮが複数のＢＳＣ７４５に対してサービス可能であるのに対して、任意の所与のＢＳＣ７４５は、一般に、１つのＳＧＳＮ７３２とインターフェイスしている。又、ＳＧＳＮ７３２は、任意選択的により、ＧＰＲＳ強化型のＭＡＰ（Ｍｏｂｉｌｅ  Ａｐｐｌｉｃａｔｉｏｎ  Ｐａｒｔ）を使用することにより、ＳＳ７に基づいたインターフェイスを通じてＨＬＲ７５１と接続されているか、又はＳＣＣＰ（Ｓｉｇｎａｌｉｎｇ  Ｃｏｎｎｅｃｔｉｏｎ  Ｃｏｎｔｒｏｌ  Ｐａｒｔ）を使用することにより、ＳＳ７に基づいたインターフェイスを通じてＭＳＣ７４９と接続されている。ＳＧＳＮ／ＨＬＲインターフェイスにより、ＳＧＳＮ７３２は、場所の更新をＨＬＲ７５１に対して提供すると共に、ＳＧＳＮサービスエリア内においてＧＰＲＳ関連の加入情報を取得可能である。ＳＧＳＮ／ＭＳＣインターフェイスにより、音声通話用の加入者のページングなどの回線交換サービスとパケットデータサービスの間の調整が可能である。最後に、ＳＧＳＮ７３２は、ネットワーク７５０上におけるショートメッセージング機能を実現するべく、ＳＭＳＣ７５３とインターフェイスしている。
【００５３】
ＧＧＳＮ７３４は、インターネット７１３又はその他のプライベートな顧客ネットワーク７５５などの外部のパケットデータネットワークに対するゲートウェイである。ネットワーク７５５は、ＰＤＳＮ７６１を通じてアクセスされる１つ又は複数のデータベース７５９にリンクされたＮＭＳ（Ｎｅｔｗｏｒｋ  Ｍａｎａｇｅｍｅｎｔ  Ｓｙｓｔｅｍ）７５７を有している。ＧＧＳＮ７３４は、ＩＰ（Ｉｎｔｅｒｎｅｔ  Ｐｒｏｔｏｃｏｌ）アドレスを割り当てており、且つ、「Ｒｅｍｏｔｅ  Ａｕｔｈｅｎｔｉｃａｔｉｏｎ  Ｄｉａｌ−Ｉｎ  Ｕｓｅｒ  Ｓｅｒｖｉｃｅ」のホストとして機能することにより、ユーザーを認証可能である。ＧＧＳＮ７３４に位置しているファイアウォールも、ファイアウォール機能を実行することにより、認可されていないトラフィックを制限している。尚、１つのＧＧＳＮ７３４しか示されてはいないが、所与のＳＧＳＮ７３２は、１つ又は複数のＧＧＳＮ７３３とインターフェイスすることにより、２つのエンティティ間及びネットワーク７５０との間においてユーザーデータのトンネリングを実現可能であることを認識されたい。外部データネットワークがＧＰＲＳネットワーク７５０上においてセッションを初期化する際には、ＧＧＳＮ７３４は、ＭＳ７４１に対して現在サービスしているＳＧＳＮ７３２についてＨＬＲ７５１に対して問い合わせる。
【００５４】
ＢＴＳ７４７及びＢＳＣ７４５は、無線インターフェイスを管理しており、これには、どのＭＳ（Ｍｏｂｉｌｅ  Ｓｔａｔｉｏｎ）７４１がいつ無線チャネルに対してアクセスするのかに関する制御も含まれている。これらの要素は、基本的に、ＭＳ７４１とＳＧＳＮ７３２の間においてメッセージを中継している。ＳＧＳＮ７３２は、ＭＳ７４１との通信、データの送受信、及びその場所の追跡を管理している。又、ＳＧＳＮ７３２は、ＭＳ７４１を登録し、ＭＳ７４１を認証すると共に、ＭＳ７４１に対して送信されるデータを暗号化している。
【００５５】
図８は、本発明の一実施例による図７Ａ及び図７Ｂのシステム内において動作する能力を有する移動局（例えば、ハンドセット）の模範的なコンポーネントの図である。一般に、無線受信機は、しばしば、フロントエンド及びバックエンド特性の観点において定義されている。受信機のフロントエンドは、高周波（ＲＦ）回路のすべてを包含しており、バックエンドは、ベースバンド処理回路のすべてを包含している。電話機の適切な内部コンポーネントは、ＭＣＵ（Ｍａｉｎ  Ｃｏｎｔｒｏｌ  Ｕｎｉｔ）８０３、ＤＳＰ（Ｄｉｇｉｔａｌ  Ｓｉｇｎａｌ  Ｐｒｏｃｅｓｓｏｒ）８０５、及びマイクロフォン利得制御及びスピーカー利得制御ユニットを含む受信機／送信機ユニットを含んでいる。メインディスプレイユニット８０７は、ユーザーに対して表示を提供し、様々なアプリケーション及び移動局の機能をサポートしている。オーディオ機能回路８０９は、マイクロフォン８１１と、マイクロフォン８１１からのスピーチ信号出力を増幅するマイクロフォン増幅器と、を含んでいる。増幅されたマイクロフォン８１１からのスピーチ信号出力は、コーダー／デコーダー（ＣＯＤＥＣ）８１３に供給されている。
【００５６】
無線セクション８１５は、モバイル通信システム（例えば、図７Ａ及び図７Ｂのシステム）内に含まれている基地局とアンテナ８１７を介して通信するべく、パワーを増幅し、周波数を変換している。電力増幅器（Ｐｏｗｅｒ  Ａｍｐｌｉｆｉｅｒ：ＰＡ）８１９及び送信機／変調回路は、ＭＣＵ８０３に応答して動作可能であり、ＰＡ８１９からの出力は、当技術分野において知られているように、デュープレクサ８２１又はサーキュレータ又はアンテナスイッチに結合されている。又、ＰＡ８１９は、電池インターフェイス及びパワー制御ユニット８２０にも結合している。
【００５７】
使用の際には、移動局８０１のユーザーは、マイクロフォン８１１に対して発話し、ユーザーの音声は、任意の検出された背景雑音と共に、アナログ電圧に変換される。次いで、このアナログ電圧は、ＡＤＣ（Ａｎａｌｏｇ  ｔｏ  Ｄｉｇｉｔａｌ  Ｃｏｎｖｅｒｔｅｒ）８２３を通じてデジタル信号に変換される。制御ユニット８０３は、スピーチのエンコーディング、チャネルのエンコーディング、暗号化、及びインターリービングなどのその内部における処理のために、デジタル信号をＤＳＰ８０５に対してルーティングしている。模範的な実施例においては、処理済みの音声信号は、ＴＩＡ（Ｔｅｌｅｃｏｍｍｕｎｉｃａｔｉｏｎ  Ｉｎｄｕｓｔｒｙ  Ａｓｓｏｃｉａｔｉｏｎ）のＴＩＡ／ＥＩＡ／ＩＳ−９５−Ａ「Ｍｏｂｉｌｅ  Ｓｔａｉｏｎ−Ｂａｓｅ  Ｓｔａｔｉｏｎ  Ｃｏｍｐａｔｉｂｉｌｉｔｙ  Ｓｔａｎｄａｒｄ  ｆｏｒ  Ｄｕａｌ−Ｍｏｄｅ  Ｗｉｄｅｂａｎｄ  Ｓｐｒｅａｄ  Ｓｐｅｃｔｒｕｍ  Ｃｅｌｌｕｌａｒ  Ｓｙｓｔｅｍ」に詳述されているＣＤＭＡ（Ｃｏｄｅ  Ｄｉｖｉｓｉｏｎ  Ｍｕｌｔｉｐｌｅ  Ａｃｃｅｓｓ）のセルラー伝送プロトコルを使用することにより（この内容は、本引用により、そのすべてが本明細書に包含される）、別個に図示されてはいないユニットによってエンコードされている。
【００５８】
次いで、エンコード済みの信号は、位相及び振幅ひずみなどの無線を通じた伝送の際に発生する任意の周波数依存の劣化を補償するべく、イコライザ８２５に対してルーティングされている。ビットストリームをイコライズした後に、変調器８２７が、信号を、ＲＦインターフェイス８２９内において生成されたＲＦ信号と合成している。変調器８２７は、周波数又は位相変調によってサイン波を生成している。伝送用の信号を準備するべく、アップコンバータ８３１が、変調器８２７からのサイン波出力を、シンセサイザ８３３によって生成された別のサイン波と合成することにより、所望の伝送周波数を実現している。次いで、この信号をＰＡ８１９に通すことにより、信号を適切なパワーレベルに増幅している。実際のシステムにおいては、ＰＡ８１９は、ネットワークの基地局から受信した情報に従ってその利得がＤＳＰ８０５によって制御される可変利得増幅器として機能している。次いで、この信号をデュープレクサ８２１内においてフィルタリングし、且つ、任意選択により、アンテナカプラ８３５に送信してインピーダンスを整合させることにより、最大パワーの転送を提供している。最後に、この信号をアンテナ８１７を介してローカル基地局に対して伝送している。ＡＧＳ（Ａｕｔｏｍａｔｉｃ  Ｇａｉｎ  Ｃｏｎｔｒｏｌ）を供給することにより、受信機の最終段の利得を制御可能である。ここから、信号を、離れた電話機（これは、別のセルラー電話機又は別の携帯電話機であってよい）に転送することも可能であり、或いは、ＰＳＴＮ（Ｐｕｂｌｉｃ  Ｓｗｉｔｈｃｅｄ  Ｔｅｌｅｐｈｏｎｅ  Ｎｅｔｗｏｒｋ）又はその他の電話ネットワークに対して有線接続することも可能である。
【００５９】
移動局８０１に対して伝送された音声信号は、アンテナ８１７を介して受信され、ＬＮＡ（Ｌｏｗ  Ｎｏｉｓｅ  Ａｍｐｌｉｆｉｅｒ）８３７によって即座に増幅される。ダウンコンバータ８３９が、キャリア周波数を低減し、復調器８４１が、ＲＦを除去してデジタルビットストリームのみを残す。次いで、この信号は、イコライザ８２５を通過し、ＤＳＰ１００５によって処理されている。ＤＡＣ（Ｄｉｇｉｔａｌ  ｔｏ  Ａｎａｌｏｇ  Ｃｏｎｖｅｒｔｅｒ）８４３が、この信号を変換し、結果的に得られた出力が、スピーカー８４５を通じてユーザーに伝送されているが、これらは、いずれも、ＭＣＵ（Ｍａｉｎ  Ｃｏｎｔｒｏｌ  Ｕｎｉｔ）８０３の制御下にあり、このＭＣＵは、ＣＰＵ（Ｃｅｎｔｒａｌ  Ｐｒｏｃｅｓｓｉｎｇ  Ｕｎｉｔ）（図示されてはいない）として実装可能である。
【００６０】
ＭＣＵ８０３は、キーボード８４７から入力信号を含む様々な信号を受信している。ＭＣＵ８０３は、表示命令及びスイッチ命令をディスプレイ８０７及びスピーチ出力スイッチングコントローラに対してそれぞれ供給している。更には、ＭＣＵ８０３は、情報をＤＳＰ８０５と交換しており、且つ、任意選択で内蔵されているＳＩＭカード８４９及びメモリ８５１に対してアクセス可能である。更には、ＭＣＵ８０３は、無線局が必要としている様々な制御機能を実行している。ＤＳＰ８０５は、実装に応じて、任意の様々な従来のデジタル処理機能の中のいずれかを音声信号に対して実行可能である。更には、ＤＳＰ８０５は、マイクロフォン８１１によって検出された信号からローカル環境の背景雑音レベルを判定し、移動局８０１のユーザーの自然な傾向を補償するべく選択されたレベルにマイクロフォン８１１の利得を設定している。
【００６１】
ＣＯＤＥＣ８１３は、ＡＤＣ８２３及びＤＡＣ８４３を含んでいる。メモリ８５１は、着信音データを含む様々なデータを保存しており、且つ、例えば、グローバルなインターネットを介して受信した音楽データを含むその他のデータを保存する能力をも有している。ソフトウェアモジュールは、ＲＡＭメモリ、フラッシュメモリ、レジスタ、又は当技術分野において既知の任意のその他の形態の書き込み可能なストレージ媒体内に存在可能であろう。メモリ装置８５１は、単一メモリ、ＣＤ、ＤＶＤ、ＲＯＭ、ＲＡＭ、ＥＥＰＲＯＭ、光学ストレージ、又はデジタルデータを保存する能力を有する任意のその他の不揮発性ストレージ媒体であってよい（但し、これらに限定されない）。
【００６２】
任意選択で内蔵されるＳＩＭカード８４９は、例えば、携帯電話番号、通信事業者の提供サービス、加入の詳細事項、及びセキュリティ情報などの重要な情報を保持している。ＳＩＭカード８４９は、主には、無線ネットワーク上において移動局８０１を識別するべく機能している。又、カード８４９は、個人的な電話番号のレジストリ、テキストメッセージ、及びユーザー固有の移動局設定を保存するためのメモリをも収容している。
【００６３】
図９は、模範的なエンタープライズネットワークを示しており、これは、パケットに基づいた及び／又はセルに基づいた技術（例えば、ＡＴＭ（Ａｓｙｎｃｈｒｏｎｏｕｓ  Ｔｒａｎｓｆｅｒ  Ｍｏｄｅ）、イーサネット（登録商標）、ＩＰに基づいたものなど）を利用している任意のタイプのデータ通信ネットワークであってよい。エンタープライズネットワーク９０１は、有線ノード９０３、並びに、無線ノード９０５〜９０９（固定又は移動）用の接続を提供しており、これらのノードは、それぞれ、前述のプロセスを実行するべく構成されている。エンタープライズネットワーク９０１は、（例えば、ＩＥＥＥ８０２．１１などの）ＷＬＡＮネットワーク９１１、ｃｄｍａ２０００セルラーネットワーク９１３、（例えば、ＰＳＴＮなどの）電話ネットワーク９１６、又は（例えば、インターネットなどの）公衆データネットワーク９１７などの様々なその他のネットワークと通信可能である。
【００６４】
以上、いくつかの実施例及び実装との関連において、本発明について説明したが、本発明は、これらに限定されるものではなく、添付の請求項の範囲内に属する様々な明らかな変更及び等価な構成をも含んでいる。本発明の特徴は、請求項中においては、特定の組み合わせにおいて表現されているが、これらの特徴は、任意の組み合わせ及び順序において配列可能であると考えられる。
【図面の簡単な説明】
【００６５】
【図１】本発明の一実施例に従ってＡＣＫ／ＮＡＣＫシグナリングをサポートするべく構成されたアクセスネットワーク（ＡＮ）及びアクセス端末（ＡＴ）を含む無線システムのアーキテクチャの図である。
【図２】本発明の一実施例に従って単一のリバースリンク内において複数のアクノリッジを提供するためのプロセスのフローチャートである。
【図３】本発明の一実施例に従って、同相（Ｉ）及び直交（Ｑ）ブランチの両方を利用することによってＴＤＭ（時分割多重）ＡＣＫを提供するためのチャネル構造の図である。
【図４】本発明の一実施例に従ってＩ及びＱブランチの両方を利用しているＣＤＭ（符号分割多重）ＡＣＫのチャネル構造の図である。
【図５】Ｉブランチのみを利用しているＣＤＭ（符号分割多重）ＡＣＫのチャネル構造の図である。
【図６】本発明の様々な実施例を実装するべく使用可能であるハードウェアの図である。
【図７Ａ】本発明の様々な実施例をサポートする能力を有する異なるセルラー携帯電話システムの図である。
【図７Ｂ】本発明の様々な実施例をサポートする能力を有する異なるセルラー携帯電話システムの図である。
【図８】本発明の一実施例に従って図７Ａ及び図７Ｂのシステム内において動作する能力を有する移動局の模範的なコンポーネントの図である。
【図９】本発明の一実施例に従って本明細書に記述されているプロセスをサポートする能力を有するエンタープライズネットワークの図である。
【図１】
2008543147.tif 000007
【図２】
2008543147.tif 000008
【図３】
2008543147.tif 000009
【図４】
2008543147.tif 000010
【図５】
2008543147.tif 000011
【図６】
2008543147.tif 000012
【図７Ａ】
2008543147.tif 000013
【図７Ｂ】
2008543147.tif 000014
【図８】
2008543147.tif 000015
【図９】
2008543147.tif 000016
【国際調査報告】
2008543147.tif 000017
2008543147.tif 000018
2008543147.tif 000019
2008543147.tif 000020